(57)【要約】【課題】ＲＮＣ等の上位装置を増設したり改修したりせずに多数の無線基地局を低コストで導入、運用できるようにする。【解決手段】複数無線エリア分の無線リソースの割り当てを受ける制御装置３０−ｉ（ｉ＝１〜Ｎ）と、この制御装置３０−ｉと通信可能に接続された複数の無線基地局４０−ｊ（ｊ＝１〜ｎ）とをそなえ、制御装置３０−ｉは、前記割り当てられた前記無線リソースの一部をいずれかの前記無線基地局４０−ｊが形成する無線エリアに割り当てる。【選択図】図１
2009231862.tif 000002
【特許請求の範囲】
【請求項１】
複数無線エリア分の無線リソースの割り当てを受ける制御装置と、
前記制御装置と通信可能に接続された複数の無線基地局とをそなえ、
前記制御装置は、
前記割り当てられた前記無線リソースの一部をいずれかの前記無線基地局が形成する無線エリアに割り当てる、
ことを特徴とする、無線通信システム。
【請求項２】
前記各無線基地局が形成する無線エリア数は、前記複数無線エリアの数よりも大きく、
前記制御装置による前記割り当ては、前記複数無線エリア分の無線リソースを繰り返し用いて実施される、ことを特徴とする、請求項１記載の無線通信システム。
【請求項３】
前記制御装置による前記割り当ては、前記繰り返し用いる無線リソースが前記各無線基地局の形成する隣接無線エリア間で重複しないように実施される、ことを特徴とする、請求項２記載の無線通信システム。
【請求項４】
前記制御装置による前記割り当ては、前記無線基地局間の信号品質情報に応じて修正される、ことを特徴とする、請求項１〜３のいずれか１項に記載の無線通信システム。
【請求項５】
複数の無線基地局と、前記各無線基地局と通信可能に接続された制御装置と、をそなえた無線通信システムにおける無線リソースの割当方法であって、
前記制御装置に複数無線エリア分の無線リソースを割り当て、
前記制御装置は、前記割り当てられた無線リソースの一部をいずれかの前記無線基地局が形成する無線エリアに割り当てる、
ことを特徴とする、無線通信システムにおける無線リソース割当方法。
【請求項６】
複数の無線基地局と通信可能に接続された制御装置であって、
複数無線エリア分の無線リソースの割当情報を受信する受信手段と、
前記割当情報に基づいていずれかの前記無線基地局が形成する無線エリアに前記無線リソースの一部を割り当てる割当制御手段と、
をそなえたことを特徴とする、制御装置。
【請求項７】
前記各無線基地局が形成する無線エリア数は、前記複数無線エリアの数よりも大きく、
前記割当制御手段は、
前記割り当てを、前記複数無線エリア分の無線リソースを繰り返し用いて実施する、ことを特徴とする、請求項６記載の制御装置。
【請求項８】
前記割当制御手段は、
前記割り当てを、前記繰り返し用いる無線リソースが前記各無線基地局の形成する隣接無線エリア間で重複しないように実施する、ことを特徴とする、請求項６又は７に記載の制御装置。
【請求項９】
前記割当制御手段は、
前記無線基地局間の信号品質情報に応じて前記割り当てを修正する割当修正部をそなえた、ことを特徴とする、請求項６〜８のいずれか１項に記載の制御装置。
【請求項１０】
前記無線リソースには、スクランブリングコード、チャネライゼーションコード、周波数のいずれか１又は２以上の組み合わせが含まれる、ことを特徴とする、請求項６〜９のいずれか１項に記載の制御装置。
【発明の詳細な説明】
【技術分野】
【０００１】
本件は、無線通信システム及び同システムにおける無線リソース割当方法並びに制御装置に関する。本件は、例えば、フェムトセルと呼ばれる小規模なセルを形成する無線基地局を多数設置する場合に用いると好適である。
【背景技術】
【０００２】
移動通信システムの屋内での無線カバー率は、それほど高くない。その理由にはいくつかあるが、例えば、屋内には無線電波が届きにくいことや、屋内用の無線基地局の設置、運用にコストがかかること等の理由による。
【０００３】
このような状況の中で、近年、「フェムトセル（Femto Cell）」と呼ばれる超小型の無線基地局（ＢＴＳ：Base Transceiver Station）が提案されている。このＢＴＳは、家庭やオフィス等の屋内での利用を想定したもので、例えば、Ｗ−ＣＤＭＡ（Wideband-Code Division Multiple Access）方式に対応しており、半径数十ｍ程度の小規模なセル（フェムトセル）を形成して少ないユーザ数（４ユーザ程度）の同時通信を可能にする。また、価格も安価である。
【０００４】
このような超小型ＢＴＳ（以下、フェムトセルＢＴＳともいう）を、既存の無線基地局ではカバーしきれない高層ビルや地下施設等の屋内（不感帯）に配置することで、運用コストを上げずに屋内カバー率を向上することが考えられている。
【０００５】
なお、移動体通信システムのカバー率を向上する手段の一つとして、既存の基地局装置と有線回線にて接続されたＲＦ（Radio Frequency）装置を前記基地局装置に対して遠隔設置する技術も知られている。
【特許文献１】特開２００４−４０８０２号公報
【特許文献２】特表２００２−５２４９８９号公報
【非特許文献１】「3GSM続報  韓国SamsungやNECが「Femto Cell」を出展」、［online］、平成１９年２月２０日、［平成２０年２月２５日検索］、インターネット〈URL：http://techon.nikkeibp.co.jp/article/NEWS/20070220/127968/〉
【非特許文献２】“Manufacturing Agreement For Zone Gate Low-Cost Residential 3G Access Point”、［online］、平成１８年１１月１日、［平成２０年２月２５日検索］、インターネット〈URL：http://www.3g.co.uk/PR/Nov2006/3849.htm〉
【非特許文献３】NTT DoCoMoテクニカル・ジャーナルVol.15 No.1、［online］、平成１９年４月、［平成２０年２月２５日検索］、インターネット〈URL：http://www.nttdocomo.co.jp/binary/pdf/corporate/technology/rd/technical_journal/bn/vol15_1/vol15_1_08jp.pdf〉
【発明の開示】
【発明が解決しようとする課題】
【０００６】
フェムトセルＢＴＳは、屋内に設置することを想定しているため、その設置数は非常に多くなると予想される。しかし、基地局を収容して制御する装置（ＲＮＣ：Radio Netwok Controller）が収容（制御）可能な基地局数にも限りがある（例えば、数百ＢＴＳ程度）。そのため、フェムトセルＢＴＳを多数（例えば、数千ＢＴＳ以上）収容するには、大規模で高価なＲＮＣ数を増やさざるを得なくなる。
【０００７】
なお、前記特許文献１の技術は、基地局装置から移動局装置宛の信号を、前記基地局装置と有線回線にて接続されたＲＦ装置で中継する技術にすぎない。
【０００８】
本件の目的の一つは、ＲＮＣを増設したり改修したりせずにフェムトセルＢＴＳのような多数の無線基地局を低コストで導入、運用できるようにすることにある。
また、フェムトセルＢＴＳに対する無線エリアの設定を簡易に行なえるようにすることも本発明の目的の一つである。
【０００９】
なお、前記目的に限らず、後述する実施形態に示す各構成により導かれる作用効果であって、従来の技術によっては得られない作用効果を奏することも他の目的の一つとして位置付けることができる。
【課題を解決するための手段】
【００１０】
前記目的を達成するために、本明細書では、以下に示す「無線通信システム及び同システムにおける無線リソース割当方法並びに制御装置」を開示する。
【００１１】
（１）即ち、ここに開示する無線通信システムの一態様は、複数無線エリア分の無線リソースの割り当てを受ける制御装置と、前記制御装置と通信可能に接続された複数の無線基地局とをそなえ、前記制御装置は、前記割り当てられた前記無線リソースの一部をいずれかの前記無線基地局が形成する無線エリアに割り当てる。
【００１２】
（２）ここで、前記各無線基地局が形成する無線エリア数は、前記複数無線エリアの数よりも大きく、前記制御装置による前記割り当ては、前記複数無線エリア分の無線リソースを繰り返し用いて実施される、こととしてもよい。
【００１３】
（３）また、前記制御装置による前記割り当ては、前記繰り返し用いる無線リソースが前記各無線基地局の形成する隣接無線エリア間で重複しないように実施される、こととしてもよい。
【００１４】
（４）さらに、前記制御装置による前記割り当ては、前記無線基地局間の信号品質情報に応じて修正される、こととしてもよい。
【００１５】
（５）また、ここに開示する無線リソースの割当方法の一態様は、複数の無線基地局と、前記各無線基地局と通信可能に接続された制御装置と、をそなえた無線通信システムにおける無線リソースの割当方法であって、前記制御装置に複数無線エリア分の無線リソースを割り当て、前記制御装置は、前記割り当てられた無線リソースの一部をいずれかの前記無線基地局が形成する無線エリアに割り当てる。
【００１６】
（６）さらに、ここに開示する制御装置の一態様は、複数の無線基地局と通信可能に接続された制御装置であって、複数無線エリア分の無線リソースの割当情報を受信する受信手段と、前記割当情報に基づいていずれかの前記無線基地局が形成する無線エリアに前記無線リソースの一部を割り当てる割当制御手段と、をそなえる。
【００１７】
（７）ここで、前記各無線基地局が形成する無線エリア数は、前記複数無線エリアの数よりも大きく、前記割当制御手段は、前記割り当てを、前記複数無線エリア分の無線リソースを繰り返し用いて実施する、こととしてもよい。
【００１８】
（８）また、前記割当制御手段は、前記割り当てを、前記繰り返し用いる無線リソースが前記各無線基地局の形成する隣接無線エリア間で重複しないように実施する、こととしてもよい。
【００１９】
（９）さらに、前記割当制御手段は、前記無線基地局間の信号品質情報に応じて前記割り当てを修正する割当修正部をそなえてもよい。
【００２０】
（１０）また、前記無線リソースには、スクランブリングコード、チャネライゼーションコード、周波数のいずれか１又は２以上の組み合わせが含まれる、こととしてもよい。
【発明の効果】
【００２１】
前記開示技術によれば、ＲＮＣ等の上位装置を増設したり改修したりせずに多数の無線基地局を低コストで導入、運用することが可能となる。
また、無線基地局に対する無線エリア設定を簡易に行なうことも可能となる。
【発明を実施するための最良の形態】
【００２２】
以下、図面を参照して実施の形態を説明する。ただし、以下に説明する実施形態は、あくまでも例示であり、以下に明示しない種々の変形や技術の適用を排除する意図はない。即ち、本実施形態は、その趣旨を逸脱しない範囲で種々変形（各実施例を組み合わせる等）して実施することができる。
【００２３】
〔１〕システム構成
図１は、一実施形態に係る無線通信システムであるフェムトセルシステムの構成例を示す図である。この図１に示すシステムは、例えば、コアネットワーク（ＣＮ）１０と、このＣＮ１０に接続された少なくとも１台のradio network controller（ＲＮＣ、基地局制御装置）２０と、Ｎ台（Ｎは１以上の整数）の超小型ＢＴＳ制御装置（フェムトセルＢＴＳ制御装置）３０−１〜３０−Ｎと、ｎ台（ｎは１以上の整数）の超小型ＢＴＳ（フェムトセルＢＴＳ）４０−１〜４０−ｎと、１又は複数台の移動端末（ユーザ端末）５０と、をそなえる。
【００２４】
ここで、ＣＮ１０は、Ｗ−ＣＤＭＡ網等の無線アクセス網に配置されるＲＮＣ２０よりも上位のネットワーク装置の総称であり、加入者情報の管理、各ネットワーク装置の監視／管理、他ネットワーク網との接続等を行なうエンティティを具備する。
【００２５】
ＲＮＣ２０は、既存の基地局（ＢＴＳ）（Node Bとも呼ばれる）を１又は複数収容して制御することのできる装置であり、各既存ＢＴＳとの間で、制御プレーン（C-Plane）のデータ（つまり制御信号）や、ユーザプレーン（U-Plane）のデータ（つまりユーザ信号）等の信号を送受信する機能を具備する。
【００２６】
C-Planeデータには、例えば、移動端末５０宛の呼制御信号や、基地局制御に関する信号であるＮＢＡＰ（Node B Application Part）信号が含まれる。また、フェムトセルＢＴＳ制御装置（以下、ＦＢＴＳ制御装置と表記する）３０−ｉとフェムトセルＢＴＳ（以下、ＦＢＴＳと表記する）４０−ｊとの間の無線チャネルの観点からすると、C-Planeデータには、共通チャネルや、個別チャネル、報知チャネル、ページングチャネル等に関する信号が含まれる。一方、U-Planeデータには、共通チャネルや個別チャネルの信号が含まれる。
【００２７】
そして、本例のＲＮＣ２０は、既存ＢＴＳとともに、あるいは代替的に、Ｎ台のＦＢＴＳ制御装置３０−１〜３０−Ｎを収容することが可能な装置でもあり、これらのＦＢＴＳ制御装置３０−ｉ（ｉ＝１〜Ｎのいずれか）との間でも、既存ＢＴＳに対するのと同等の信号を送受信することが可能である。なお、ＲＮＣ２０とＦＢＴＳ制御装置３０−ｉとの間の接続インタフェース（ＩＦ）は、ＲＮＣ２０と既存ＢＴＳとの接続ＩＦ（例えば、Iubインタフェース）と同じものでよい。
【００２８】
ＦＢＴＳ制御装置３０−ｉは、それぞれｎ台のＦＢＴＳ（フェムトセル基地局）４０−１〜４０−ｎを収容することが可能な装置であり、本例では、ＲＮＣ２０から受信した制御信号に基づいて配下のＦＢＴＳ４０−ｊ（ｊ＝１〜ｎのいずれか）に対するセル設定を行なったり、そのセル設定を変更（修正）したりする機能を具備する。
【００２９】
なお、ここでいう「セル設定」とは、ＦＢＴＳ４０−ｊが形成する無線エリア（セル）のための無線リソースに関する設定を意味する。無線リソースには、Ｗ−ＣＤＭＡ方式を例にすれば、セル毎の、スクランブリングコード（ＳＣ）、チャネライゼーションコード（ＣＣ）、使用周波数（キャリア）等のいずれか１又は２以上の組み合わせが含まれる。なお、ＳＣは、セルの識別（セルサーチ）に用いられるコードであり、ＣＣはユーザ（移動端末５０）の識別に用いられるコードである。
【００３０】
このような、ＦＢＴＳ制御装置３０−ｉを導入することで、ＲＮＣ２０は、１台のＦＢＴＳ制御装置３０−ｉに対して、既存ＢＴＳに対するのと同等の制御信号（例えば、ＮＢＡＰ信号）を用いて既存ＢＴＳ１台分のセル設定を実施することで、ＦＢＴＳ制御装置３０−ｉに従属する個々のＦＢＴＳ４０−ｊに対して必要なセル設定を一括して実施することが可能となる。
【００３１】
換言すれば、ＲＮＣ２０からは複数のＦＢＴＳ４０−ｊを仮想的に１台のＢＴＳと見せる（認識させる）ことができる。例えば、各ＦＢＴＳ４０−ｊは、マルチバンドＢＴＳや高密度ＢＴＳといった、複数のセルやキャリア数を扱う１台のＢＴＳとしてＲＮＣ２０に認識させることが可能である。
【００３２】
例えば、３セル×３キャリア（周波数）で計９個のセルをもつＢＴＳとして認識させることが可能である。その場合、ＲＮＣ２０は、９セル分のセル設定情報（無線リソース）を前記ＮＢＡＰ信号によりＦＢＴＳ制御装置３０−ｉに割り当てることとなる。つまり、ＦＢＴＳ制御装置３０−ｉに割り当て可能なセル設定情報の数は、ＲＮＣ２０で認識、管理する単位のセル設定情報数以下であると考えることができる。
【００３３】
ＦＢＴＳ４０−ｊは、それぞれ、無線エリアである１又は複数のセルを形成し、当該セルに在圏する１又は複数の移動端末５０と無線リンクにて接続して無線通信を行なうことのできる基地局装置であり、例えば、家庭やオフィス等の屋内に設置される。このＦＢＴＳ４０−ｊは、既存ＢＴＳと比較して、主に以下の点で異なる。
【００３４】
（１）同時接続可能なユーザ（移動端末）数が既存ＢＴＳでは数百台であるのに対し１０台程度と少ない。
（２）セル数が既存ＢＴＳでは数セル〜数十セル程度であるのに対し１セル程度と少ない。
（３）電波カバー範囲（セル半径）が既存ＢＴＳでは数ｋｍ程度であるのに対し数十ｍ程度と狭い。
【００３５】
移動端末５０は、ユーザの使用する無線端末であり、いずれかのＦＢＴＳ４０−ｊと無線リンクにて接続して通信を行なう機能（例えば、呼処理の終端機能等）を具備する。
【００３６】
〔２〕ＦＢＴＳ制御装置及び超小型ＢＴＳ
次に、本例のＦＢＴＳ制御装置３０−ｉ及び超小型ＢＴＳ４０−ｊの構成例について、図２を参照して説明する。
【００３７】
（２．１）ＦＢＴＳ制御装置３０−ｉ
図２に示すように、ＦＢＴＳ制御装置３０−ｉは、例えば、ＲＮＣ間ＩＦ３１、C-Plane/U-Planeデータ送受信部３２、ＮＢＡＰ処理部３３、データ保管部３４、ノード間ＩＦ３５をそなえる。
【００３８】
ここで、ＲＮＣ間ＩＦ３１は、ＲＮＣ２０との間のＩＦであり、C-Planeデータ（つまり制御信号）、U-Planeデータ（つまりユーザデータ）等の信号をＲＮＣ２０との間で送受信する機能を具備する。
【００３９】
C-Plane/U-Planeデータ処理部３２は、ＲＮＣ２０から送信された移動端末５０に関する制御信号及びユーザデータを受信し、移動端末番号を識別した上で該当する移動端末５０の接続する超小型ＢＴＳ４０−ｊに送信する一方、超小型ＢＴＳ４０−ｊから送信された制御信号及びユーザデータを受信してＲＮＣ２０に送信する機能を具備する。
【００４０】
ＮＢＡＰ処理部３３は、C-Planeデータのうち、基地局制御に関する信号であるＮＢＡＰ信号について処理を行なう機能を具備する。
【００４１】
そして、このＮＢＡＰ処理部３３は、例えば、ＮＢＡＰ信号送受信部３３１、セル配置情報決定部３３２、品質情報収集部３３３、セル設定部３３４をさらにそなえる。
【００４２】
ＮＢＡＰ信号送受信部３３１は、ＮＢＡＰ信号を送受信するものである。ここで、セル配置情報決定部３３２に関する信号以外は、該当のＦＢＴＳ４０−ｊに送信することができる。
【００４３】
セル配置情報決定部３３２は、ＲＮＣ２０から例えばＮＢＡＰ信号によりセル設定要求（セル設定情報）をＮＢＡＰ信号送受信部３３１経由で受信した場合に、データ保管部３４のＦＢＴＳ制御装置セル設定情報メモリ３４１に、受信したセル設定情報を記録するとともに、当該セル設定情報により割り当てられた各ＦＢＴＳ４０−ｊのセル設定情報をデータ保管部３４のＦＢＴＳセル設定情報メモリ３４２に記録する機能を具備する。
【００４４】
また、このセル配置情報決定部３３２は、付加的に、品質情報測定部３３３から各ＦＢＴＳ４０−ｊの品質情報を受信した場合は、隣接したＦＢＴＳ４０−ｊ間で信号品質に異常が無いか（電波干渉が生じている）どうか確認し、異常があった場合はセル設定情報を変更（修正）する機能を具備する。なお、前記メモリ３４１，３４２は共用化されていてもよい。
【００４５】
品質情報収集部３３３は、初回セル配置時、もしくはセル配置情報決定部３３２からの指示により、もしくは、周期的に、該当のＦＢＴＳ制御装置３０−ｉに従属するＦＢＴＳ４０−ｊに対し、信号対干渉比（ＳＩＲ：Signal to Interference Ratio）等の品質測定を依頼してその測定結果（品質測定情報）を収集（受信）する機能を具備する。なお、受信した品質測定情報は、セル配置情報決定部３３２に送信される。
【００４６】
セル設定部３３４は、セル配置情報決定部３３２の指示により、データ保管部３４のＦＢＴＳセル設定情報メモリ３４２におけるセル設定情報を基に、該当のＦＢＴＳ制御装置３０−ｉに従属するＦＢＴＳ４０−ｊに対し、セル設定を指示する機能を具備する。なお、その設定結果（ＯＫ／ＮＧ）がＦＢＴＳ４０−ｊから受信された場合には、セル配置情報決定部３３２に送信する。
【００４７】
データ保管部３４は、該当のＦＢＴＳ制御装置３０−ｉに割り当てられるセル設定情報と、該当のＦＢＴＳ制御装置３０−ｉに従属するＦＢＴＳ４０−ｊのセル設定情報との２種類の情報を、ＦＢＴＳ制御装置セル設定情報メモリ３４１と、ＦＢＴＳセル設定情報メモリ３４２とに保持（記録）する。
【００４８】
それぞれのセル設定情報には、例えば、ＦＢＴＳ４０−ｊに関するセル毎のスクランブリングコード（ＳＣ）情報、チャネライゼーションコード（ＣＣ）情報、使用周波数、共通チャネル情報等、ＦＢＴＳ４０−ｊと移動端末５０とが無線通信を行なうのに用いる無線リソースに関する設定情報が含まれる。
【００４９】
ノード間ＩＦ３５は、ＦＢＴＳ４０−ｊとの間のＩＦであり、C-Planeデータ（ＮＢＡＰ信号を含む）、U-Planeデータ等の信号を送受信する機能を具備する。
【００５０】
なお、以上のＦＢＴＳ制御装置３０−ｉの機能の一部又は全部は、ＲＮＣ２０にもたせてもよい。その場合、ＦＢＴＳ制御装置３０−ｉは、ＲＮＣ２０における上位機能から複数セル分の無線リソース（セル設定情報）の割り当てを受けることになる。
【００５１】
また、次世代移動体通信システムにおけるeNodeBのように、ＲＮＣ２０の機能の一部が基地局装置に組み込まれる場合、ＦＢＴＳ制御装置３０−ｉは、ＲＮＣ２０ではなくeNodeB、あるいは、アクセスゲートウェイ（aGW）等のeNodeBの上位装置に接続されることとしてもよい。その場合、ＦＢＴＳ制御装置３０−ｉは、当該eNodeBや上位装置から例えば１台分のeNodeBに設定されるセル数分のセル設定情報の割り当てを受けて、配下のＦＢＴＳ４０−ｊのセル設定を実施することが可能である。
【００５２】
（２．２）ＦＢＴＳ４０−ｊ
一方、ＦＢＴＳ４０−ｊは、例えば図２中に示すように、ノード間ＩＦ４１、C-Plane/U-Planeデータ送受信部４２、ＮＢＡＰ処理部４３、無線処理部４４をそなえる。
【００５３】
ノード間ＩＦ４１は、ＦＢＴＳ制御装置３０−ｉとの間のＩＦであり、C-Planeデータ（ＮＢＡＰ信号を含む）、U-Planeデータ等の信号を送受信する機能を具備する。
【００５４】
C-Plane/U-planeデータ処理部４２は、ＦＢＴＳ制御装置３０−ｉから送信される移動端末５０に関する呼制御信号及びユーザデータを受信し、当該移動端末５０宛に送信する一方、移動端末５０が送信したC-Plane/U-planeデータをＦＢＴＳ４０−ｊから受信してＦＢＴＳ制御装置３０−ｉに送信する機能を具備する。
【００５５】
ＮＢＡＰ処理部４３は、C-Planeデータのうち、基地局制御に関する信号であるＮＢＡＰ信号について処理を行なう機能を具備する。
【００５６】
そして、このＮＢＡＰ処理部４３は、例えば、ＮＢＡＰ信号送受信部４３１、ＮＢＡＰ信号処理部４３２、品質測定部４３３、セル設定部４３４をさらにそなえる。
【００５７】
ＮＢＡＰ信号送受信部４３１は、ＮＢＡＰ信号を送受信する機能を具備する。ここで、ＦＢＴＳ制御装置３０−ｉのセル配置情報決定部３３２に関する信号以外は、該当するＦＢＴＳ４０−ｊに送信することができる。
【００５８】
ＮＢＡＰ信号処理部４３２は、ＦＢＴＳ制御装置３０−ｉのセル配置情報決定部３３２に関する信号以外のＮＢＡＰ信号を処理（終端）する機能を具備する。
【００５９】
品質測定部４３３は、ＦＢＴＳ制御装置３０−ｉの品質情報収集部３３３から、ＮＢＡＰ信号送受信部４３１を介してＳＩＲ等の品質測定要求があった場合に、無線処理部４４に対して品質測定要求（設定）を行なう機能を具備する。品質測定結果は、上位のＦＢＴＳ制御装置３０−ｉの品質情報収集部３３３に送信する。
【００６０】
セル設定部４３４は、ＦＢＴＳ制御装置３０−ｉのセル配置情報決定部３３２で決定されてセル設定部３３４から受信したセル設定情報を基に、無線処理部４４に対してセル設定処理を行なう機能を具備する。なお、その設定結果（ＯＫ／ＮＧ）は、ＦＢＴＳ制御装置３０−ｉのセル設定部３３４に送信することができる。
【００６１】
無線処理部（ＲＦ／ベースバンド処理部）４４は、移動端末５０とのＩＦであり、C-Planeデータ、U-Planeデータ等の信号を無線信号にて送受信する機能を具備する。
【００６２】
〔３〕動作説明
上述のごとく構成された本例のフェムトセルシステムでは、下記の（ａ）及び（ｂ）に示す処理が可能となる。
【００６３】
（ａ）ＲＮＣ２０からＦＢＴＳ制御装置３０−ｉへセル設定情報を送信し、ＦＢＴＳ制御装置３０−ｉは、当該セル設定情報を基に、配下のＦＢＴＳ４０−ｊのセル設定を行なう処理（セル設定処理）
【００６４】
（ｂ）ＲＮＣ２０からＦＢＴＳ制御装置３０−ｉへ品質確認要求を初回セル設定時や定期的に送信し、ＦＢＴＳ制御装置３０−ｉは、当該品質確認要求を受信することにより、配下のＦＢＴＳ４０−ｊのセルの品質測定を行ない、その情報を基にセル設定を修正する処理（セル設定修正処理）
【００６５】
以下、それぞれの処理について、項目別に説明する。
【００６６】
（３．１）セル設定処理
まず、セル設定処理について、図３〜図９を併用して詳述する。
【００６７】
ＲＮＣ２０は、例えば図９に示すように、まず、ＦＢＴＳ制御装置３０−ｉ宛のセル設定要求（セル設定情報）を生成し（処理７０１）、これをＦＢＴＳ制御装置３０−ｉに対して送信する（処理７０２）。このセル設定要求には、例えば、ＮＢＡＰ信号を用いることができる。３ＧＰＰ規格のＮＢＡＰ信号であれば、「Cell Setup Request」、「Common Transport Channel Setup Request」等を用いることができる。
【００６８】
ＮＢＡＰ信号のフォーマット例を図３に示す。ＮＢＰＡ信号は、ヘッダ部とデータ部とを有し、データ部に、既存ＢＴＳ１台分のセル設定情報（無線リソースの割当情報）を設定（付与）することができる。例えば、１台の既存ＢＴＳが扱うセル数をＭセル（Ｍは２以上の整数）と仮定とすると、セル＃１〜＃ＭのＭセル分のセル設定情報が付与される。つまり、ＲＮＣ２０は、第１の制御装置であるＦＢＴＳ制御装置３０−ｉに対して複数セル分の無線リソースを割り当てる手段として機能する。
【００６９】
そして、ＦＢＴＳ制御装置３０−ｉは、前記Ｍセル分のセル設定情報を受信する（Ｍセル分の無線リソースの割り当てを受ける）と、割り当てられた無線リソースの一部を、配下のいずれかのＦＢＴＳ４０−ｊが形成するセルに割り当てる（セル設定する）ことになる。
【００７０】
ここで、ＲＮＣ２０から割り当てられたＭセル分のセル設定情報よりも配下のＦＢＴＳ４０−ｊが形成するセル数の方が多い場合、ＦＢＴＳ制御装置３０−ｉが割り当て可能な無線リソース（セル設定情報）が不足することになるが、その場合、ＦＢＴＳ制御装置３０−ｉは、Ｍセル分のセル設定情報を繰り返し用いて（cell reuse）、ＦＢＴＳ４０−ｊに対するセル設定を実施する。
【００７１】
また、図３には、ＮＢＡＰ信号のヘッダ部として、ＮＢＡＰ信号の下位レイヤのプロトコルスタックである、ＳＣＴＰ（Stream Control Transmission Protocol）及びＩＰ（Internet Protocol）のヘッダが付与される様子を示しているが、もちろん本例に限定されない。ＲＮＣ２０とＦＢＴＳ制御装置３０−ｉとの間で用いられる接続ＩＦのプロトコルに応じて適宜変更可能である。例えば、ＲＮＣ２０とＦＢＴＳ制御装置３０−ｉとがインターネット網ではなくＡＴＭ（Asynchronous Transfer Mode）網を介して接続されるような場合には、ＡＴＭヘッダをＮＢＡＰ信号のヘッダ部に付与すればよい。
【００７２】
前記セル設定要求は、ＦＢＴＳ制御装置３０−ｉのＲＮＣ間ＩＦ３１経由でＮＢＡＰ信号送受信部３３１にて受信される。つまり、ＮＢＡＰ信号送受信部３３１は、複数セル分の無線リソースの割当情報（セル設定情報）を受信する受信手段として機能する。
【００７３】
そして、ＮＢＡＰ信号送受信部３３１は、受信したＮＢＡＰ信号がＦＢＴＳ制御装置３０−ｉに対するセル設定要求であるかどうかを判別し（図９の処理７０３）、セル設定要求であれば、当該セル設定要求をセル配置情報決定部３３２に送信する（図９の処理７０４）。セル設定要求でなければ、ＮＢＡＰ信号送受信部３３１は、受信したＮＢＡＰ信号を対象のＦＢＴＳ４０−ｊ（ＮＢＡＰ信号処理部４３２）宛に送信する。
【００７４】
セル設定要求を受信したセル配置情報決定部３３２は、当該セル設定要求をデコードし（図９の処理７０５）、当該要求に設定されているＭセル分のセル設定情報をデータ保管部３４のＦＢＴＳ制御装置セル設定情報メモリ３４１に記録する（図９の処理７０６及び処理７０７）。
【００７５】
その記録フォーマットの一例を図４に示す。この図４には、Ｍセルのセル番号毎に、ＳＣ，ＣＣ，周波数、共通チャネルに関する情報等がＦＢＴＳ制御装置セル設定情報として前記メモリ３４１に記録される様子を例示している。
【００７６】
この記録の後、あるいは、この記録と並行して、セル配置情報決定部３３２は、前記受信セル設定情報を基に、配下のｎ台のＦＢＴＳ４０−ｊに対するセル設定情報を、データ保管部３４のＦＢＴＳセル設定情報メモリ３４２に記録する（図９の処理７１３）。
【００７７】
その記録フォーマットの一例を図５に示す。この図５には、ＦＢＴＳ４０−ｊが図２に示したようにインターネット網を介してＦＢＴＳ制御装置３０−ｉと接続されていると仮定して、ＦＢＴＳ４０−ｊの装置番号毎に、ＩＰアドレス、隣接するＦＢＴＳ４０−ｊ（セル）に関する情報（隣接装置情報）（つまり、セルの隣接状況に関する情報）、セル番号、ＳＣ、ＣＣ、周波数、共通チャネル、品質測定結果に関する情報等がＦＢＴＳセル設定情報として前記メモリ３４２に記録される様子を例示している。
【００７８】
なお、ＦＢＴＳ４０−ｊの装置番号、ＩＰアドレスについては、初期設定として予め静的に設定されることとしてよい。ただし、ＦＢＴＳ４０−ｊとの通信により取得して動的に設定することも可能である。
【００７９】
このＦＢＴＳセル設定情報の記録にあたって、セル配置情報決定部３３２は、例えば、ＦＢＴＳセル設定情報メモリ３４２に事前に記録された、配下のＦＢＴＳ４０−ｊの配置順序（装置番号）を基に、所定の適用ロジック（セル配置ロジック）に従ってメモリ３４２への記録（セル設定情報の適用）を行なう（図９の処理７０８〜処理７１３）。
【００８０】
適用ロジックの一例としては、同じセル設定情報（無線リソース）がＦＢＴＳ４０−ｊの隣接セル（ＦＢＴＳ４０−ｊ１台につき１セルとすれば装置番号）間で重複しないようにセル配置する（図５の「隣接装置情報（セル番号）」を割り振る）ロジックが挙げられる。そのロジックの一例を図６に示す。
【００８１】
この図６に示すように、セル配置情報決定部３３２は、ＦＢＴＳセル設定情報の前記フォーマット内のＦＢＴＳ４０−ｊに対し、ＦＢＴＳ制御装置セル設定情報のセル番号及び情報を順番に割り振り（処理８０１）、ＦＢＴＳ４０−ｊの隣接装置４０−ｊとのセル番号が同一でないかをチェックし（処理８０２）、隣接装置４０−ｊとの間で同一セル番号のものが存在すれば、同一セル番号のものが存在しなくなるまで（処理８０２でＹＥＳと判定されるまで）、前記割り振りを行なった対象のセル番号を異なる番号に変更する（処理８０２のＮＯルート）。
【００８２】
上記ロジックに従ってメモリ３４２に設定されたＦＢＴＳセル設定情報の一例を図７に示す。このようなセル番号付与ロジックを実施することで、Ｍ＜ｎの場合は、Ｍセル分のセル設定情報を繰り返し用いて、ｎ台のＦＢＴＳ４０−ｊに対するセル設定情報が設定（記録）されることになる。
【００８３】
その際、同じセル設定情報が隣接セル間で重複しないように（つまり、同じ無線リソースを隣接セル間で用いないように）セル配置されるから、セル間の電波干渉発生も抑制することが可能である。一方、Ｍ≧ｎの場合は、前記繰り返しは不要であり、セル間で電波干渉の発生しないセル設定（セル配置）が可能となる。
【００８４】
なお、隣接装置情報は、予め静的に設定しておくこととしてもよい。また、この隣接装置情報は、任意であり省略してもよい。
【００８５】
次いで、セル配置情報決定部３３２は、セル設定部３３４に対して、配下のＦＢＴＳ４０−ｊに対してセル設定を行なうように指示する（図９の処理７１４及び処理７１５）。
【００８６】
この指示を受けたセル設定部３３４は、データ保管部３４のＦＢＴＳセル設定情報メモリ３４１に前述のごとく記録されたセル設定情報を読み出し（図９の処理７１６〜処理７１９）、配下のＦＢＴＳ４０−ｊに対してセル設定要求を行なうため、ＮＢＡＰ信号送受信部３３１にセル設定要求を送信する（処理７２０及び処理７２１）。
【００８７】
セル設定要求を受信したＮＢＡＰ信号送受信部３３１は、当該セル設定要求を、ノード間ＩＦ３５を介していずれかのＦＢＴＳ４０−ｊに対して送信する（図９の処理７２２及び処理７２３）。ここで、当該セル設定要求には、「Cell Setup Request」、「Common Transport Channel Setup Request」等の、３ＧＰＰ規格に基づいたＮＢＡＰ信号を用いることができる。このＮＢＡＰ信号のフォーマット例を図８に示す。
【００８８】
この図８に示すように、例えば、ＮＢＡＰ信号のデータ部に、１セル分のセル設定情報が設定される。ヘッダ部については、ＦＢＴＳ制御装置３０−ｉとＦＢＴＳ４０−ｊとの間の接続ＩＦに応じたプロトコルのヘッダが付与される。ＮＢＡＰ信号送受信部３３１は、このようなフォーマットのＮＢＡＰ信号を生成する。
【００８９】
つまり、本例のＮＢＡＰ処理部３３及びデータ保管部３４は、ＲＮＣ２０から受信したセル設定情報（無線エリアの一例としての複数セル分の無線リソースの割当情報）に基づいて、配下のいずれかのＦＢＴＳ４０−ｊが形成するセル（無線エリア）に前記無線リソースの一部を割り当てる割当制御手段としての機能を果たす。
【００９０】
一方、ＦＢＴＳ４０−ｊは、ＦＢＴＳ制御装置３０−ｉが送信した前記ＮＢＡＰ信号（セル設定要求）を、ノード間ＩＦ４１を介してＮＢＡＰ信号送受信部４３１にて受信し、ＮＢＡＰ信号送受信部４３１は、ＦＢＴＳ４０−ｊに対するセル設定要求であるかどうかを判別する（図９の処理７２４）。
【００９１】
その結果、受信したＮＢＡＰ信号がセル設定要求であれば、ＮＢＡＰ信号送受信部４３１は、当該セル設定要求をセル設定部４３４に送信する（図９の処理７２５）。セル設定要求以外のＮＢＡＰ信号であれば、ＮＢＡＰ信号送受信部４３１は、当該ＮＢＡＰ信号をＮＢＡＰ信号処理部４３２に送信する。
【００９２】
前記セル設定要求であるＮＢＡＰ信号を受信したセル設定部４３４は、受信したＮＢＰＡ信号をデコードし（図９の処理７２６）、設定されている内容（セル設定情報）を基に、無線処理部４４に対して必要なセル設定を行なう（図９の処理７２７及び処理７２８）。
【００９３】
また、セル設定部４３４は、その設定結果（ＯＫ／ＮＧ）をＮＢＡＰ信号送受信部４３１に送信し（図９の処理７２９〜処理７３１）、ＮＢＡＰ信号送受信部４３１は、受信した設定結果をＮＢＡＰ信号としてノード間ＩＦ４１を介してＦＢＴＳ制御装置３０−ｉ宛に送信する（図９の処理７３２及び処理７３３）。
【００９４】
なお、前記設定結果（ＯＫ／ＮＧ）の送信に用いるＮＢＡＰ信号は、３ＧＰＰ規格における「Cell Setup Request」に対する応答である「Cell Setup Response（ＯＫの場合）」、「Cell Setup Failure（ＮＧの場合）」としてもよいし、「Common Transport Channel Setup Request」に対する応答である「Common Transport Channel Setup Response（ＯＫの場合）」、「Common Transport Channel Setup Failure（ＮＧの場合）」としてもよい。
【００９５】
前記設定結果（ＯＫ／ＮＧ）は、ＦＢＴＳ制御装置３０−ｉのノード間ＩＦ３５を介してＮＢＡＰ信号送受信部３３１にて受信され、ＮＢＡＰ信号送受信部３３１は、受信したＮＢＡＰ信号がセル設定の設定結果であるか否かを判別する（図９の処理７３４）。
その結果、設定結果であれば、受信したＮＢＡＰ信号をデコードして、データ部に設定されている設定結果（ＯＫ／ＮＧ）をセル設定部３３４に送信する（図９の処理７３５）。設定結果以外のＮＢＡＰ信号はＮＢＡＰ信号処理部４３２に送信する。
【００９６】
セル設定部３３４は、配下のＦＢＴＳ４０−ｊの数だけ前記セル設定要求を実施し、それぞれ設定結果（ＯＫ／ＮＧ）を受信する。そして、配下の配下のＦＢＴＳ４０−ｊの数の設定結果を集計して、セル配置情報決定部３３２に送信する（図９の処理７３６及び処理７３７）。
【００９７】
前記設定結果を受信したセル配置情報決定部３３２は、当該設定結果を管理する（図９の処理７３８）。例えば、図５（図７）に示したフォーマットのＦＢＴＳセル設定情報の情報要素の一つとして管理することが可能である。なお、設定結果がＮＧであったＦＢＴＳ４０−ｊについては準正常動作に遷移する。ここでいう準正常動作には、例えば、保守者に対して通知を行なうことや、ログに記録したりすることが含まれる。
【００９８】
以上のように、本例によれば、ＲＮＣ２０からセル設定要求（セル設定情報）をＦＢＴＳ制御装置３０−ｉに送信し、これを受信したＦＢＴＳ制御装置３０−ｉがその受信セル設定情報を基に、配下のｍ台分のＦＢＴＳ４０−ｊに対するセル設定（無線リソースの割り当て）を実施するので、ＦＢＴＳ４０−ｊに対するセル設定をＲＮＣ２０が直接には関与せずに実施することが可能となる。
【００９９】
したがって、既存のＲＮＣ２０の構成に大規模な変更を加えたり（例えば、ＲＮＣ２０で多数のＦＢＴＳ４０−ｊのセル設定に必要な情報を局データとして管理できるようにしたり）、ＲＮＣ２０を増設したりすることなく、ＦＢＴＳ制御装置３０−ｉを導入すれば、多数のＦＢＴＳ４０−ｊをＲＮＣ２０に収容して適切なセル設定を、簡易に、また、低コストで実施することが可能となる。
【０１００】
（３．２）セル設定修正処理
次に、ＦＢＴＳ制御装置３０−ｉが、配下のＦＢＴＳ４０−ｊの品質測定を行ない、その測定結果を基にセル設定を修正する処理について、図１０〜図１６を併用して詳述する。
【０１０１】
まず、ＦＢＴＳ制御装置３０−ｉは、ＮＢＡＰ処理部３３のセル配置情報決定部３３２により、品質情報収集部３３３に対して品質情報収集の指示を出す（図１５の処理９０１及び処理９０２）。この指示は、セル配置時、もしくはＲＮＣ２０からの品質確認要求の受信時、もしくは周期（定期）的に、発行することができる。なお、前記のセル配置時とは、例えば、項目（３．１）で説明した「セル設定処理」が終了した時点を意味する。
【０１０２】
前記の指示を受けた品質情報収集部３３３は、データ保管部３４のメモリ３４２のＦＢＴＳセル設定情報を読み出し、配下のＦＢＴＳ４０−ｊに対する品質測定要求をＮＢＡＰ信号送受信部３３１に送信する（図１５の処理９０３及び処理９０４）。
【０１０３】
前記品質測定要求を受信したＮＢＡＰ信号送受信部３３１は、当該品質測定要求（データ）を含むＮＢＡＰ信号を生成し、ノード間ＩＦ３５を介してＦＢＴＳ４０−ｊに対して送信する（図１５の処理９０５及び処理９０６）。
【０１０４】
この品質測定要求には、例えば、３ＧＰＰ規格におけるＮＢＡＰ信号である「COMMON MEASUREMENT INITIATION REQUEST」等を用いることができる。そのフォーマット例を図１０に示す。なお、本例においても、ヘッダ部にはＦＢＴＳ制御装置３０−ｉとＦＢＴＳ４０−ｊとの間の接続ＩＦ（プロトコル）に応じたヘッダが付与される。一例として図１０にはＩＰ／ＳＣＴＰヘッダが付与される様子を示している。
【０１０５】
前記品質測定要求（ＮＢＡＰ信号）は、ＦＢＴＳ４０−ｊのノード間ＩＦ４１を介してＮＢＡＰ処理部４３のＮＢＡＰ信号送受信部４３１にて受信され（図１５の処理９０７）、ＮＢＡＰ信号送受信部４３１は、受信したＮＢＡＰ信号がＦＢＴＳ４０−ｊに対する品質測定要求であるかどうかを判別する。
【０１０６】
品質測定要求であれば、ＮＢＡＰ信号送受信部４３１は、当該要求を品質測定部４３３に送信し（図１５の処理９０８）、品質測定要求でなければ、受信したＮＢＡＰ信号をＮＢＡＰ信号処理部４３２に送信する。
【０１０７】
なお、図１５では図示を省略するが、ＮＢＡＰ信号送受信部４３１は、前記品質測定要求に対する確認応答を、ノード間ＩＦ４１を介してＦＢＴＳ制御装置３０−ｉへ送信してもよい。その際、３ＧＰＰ規格に基づくＮＢＰＡ信号である「COMMON MEASUREMENT INITIATION REQUEST」の応答信号「COMMON MEASUREMENT RESPONSE」を用いることができる。なお、この応答は、例えば、確認としてＦＢＴＳ制御装置３０−ｉの品質情報収集部３３３が受信する。
【０１０８】
さて、ＦＢＴＳ４０−ｊにおいて、前記品質測定要求を受信した品質測定部４３３は、無線処理部４４に対して品質測定の指示を送信する（図１５の処理９０９及び処理９１０）。
【０１０９】
この指示を受けた無線処理部４４は、ＳＩＲ等の移動端末５０との間の伝送品質に関する値を測定し（図１５の処理９１１）、その品質測定結果を品質測定部４３３に返す（図１５の処理９１２）。品質測定結果は、前記伝送品質が許容範囲であるか否かを表す情報（ＯＫ／ＮＧ）でもよいし、測定値そのものでもよい。
【０１１０】
この品質測定は、ＦＢＴＳ４０−ｊが自律的に行なってもよいし、他のＦＢＴＳ４０−ｊと連携して実施してもよい。前者の場合には、自装置４０−ｊ（無線処理部４４）の受信感度を一時的に上げて測定精度を向上させる等の工夫も考えられる。後者の場合には、自装置４０−ｊ（無線処理部４４）の受信感度を上げる工夫の他に、他のＦＢＴＳ４０−ｊの送信電力を一時的に上げ、当初の送信電力では観測不能であった干渉電波を受信（検出）させる方法等も考えられる。
【０１１１】
このような工夫により、通常なら観測できないか観測が困難なＦＢＴＳ制御装置３０−ｉのエリア交差地帯の電波干渉も測定可能となる可能性がある。なお、受信感度を上げる手段の例としては、受信系に設けられた低雑音増幅器等の増幅出力を上げることが挙げられる。
【０１１２】
次に、前記品質測定結果を受信した品質測定部４３３は、品質測定結果（ＳＩＲ等の測定値）をＮＢＡＰ信号送受信部４３１に送信し（図１５の処理９１３及び処理９１４）、ＮＢＡＰ信号送受信部４３１は、受信した品質測定結果をデータ部に含むＮＢＡＰ信号を生成して、ノード間ＩＦ４１を介して、ＦＢＴＳ制御装置３０−ｉへ送信する（図１５の処理９１５及び処理９１６）。ここで、品質測定結果を含めるＮＢＡＰ信号には、３ＧＰＰ規格に基づく「COMMON MEASUREMENT REPORT」等を用いることができる。
【０１１３】
前記品質測定結果（ＮＢＡＰ信号）は、ＦＢＴＳ制御装置３０−ｉのノード間ＩＦ３５を介してＮＢＡＰ処理部３３のＮＢＡＰ信号送受信部３３１にて受信され（図１５の処理９１７）、ＮＢＡＰ信号送受信部３３１は、受信したＮＢＡＰ信号が品質測定結果であるかを判別する。
【０１１４】
品質測定結果であれば、ＮＢＡＰ信号送受信部３３１は、受信した品質測定結果を品質情報収集部３３３に送信し（図１５の処理９１８）、そうでなければ受信したＮＢＡＰ信号を、ＲＮＣ間ＩＦ３１を介してＲＮＣ２０へ転送する。
【０１１５】
前記品質測定結果を受信した品質情報収集部（品質情報受信部）３３３は、当該品質測定結果を例えばデータ保管部３４のＦＢＴＳセル設定情報メモリ３４２の対象装置のエントリの品質測定結果欄に登録する（図１５の処理９１９〜処理９２１）。その一例を図１１に示す。この図１１には、装置番号＝００１のＦＢＴＳ４０−ｊのエントリに、品質測定結果としてＯＫが登録された様子を示している。
【０１１６】
以上の処理９０３〜９２１が、ＦＢＴＳ制御装置３０−ｉの配下の全ＦＢＴＳ４０−ｊについて完了すると、ＦＢＴＳ制御装置３０−ｉの品質情報収集部３３３は、セル配置情報決定部３３２に対して品質測定完了の旨を通知する（処理９２２及び処理９２３）。
【０１１７】
この段階で、データ保管部３４のＦＢＴＳセル設定情報メモリ３４２には、配下の全ＦＢＴＳ４０−ｊ分の品質測定結果が登録されたことなる。その一例を図１２に示す。この図１２には、装置番号＝００２のＦＢＴＳ４０−ｊについての品質測定結果がＮＧであったことが登録された様子を示している。
【０１１８】
前記品質測定の完了通知を受信したセル配置情報決定部３３２は、測定結果がＮＧである（もしくは測定値が所定の基準を満たしていない）ＦＢＴＳ４０−ｊに対して、異なるＳＣやＣＣ等を割り当てて、隣接装置４０−ｊとの電波干渉を抑える値に変更（修正）する。
【０１１９】
その際、セル配置情報決定部３３２は、例えば図１３に示すようなロジックに従って修正を行なう（図１５の処理９２４〜処理９３０に相当）。即ち、セル配置情報決定部３３２は、ＦＢＴＳセル設定情報メモリ３４２のセル設定情報のエントリの中で、品質測定結果がＮＧとなっている（もしくは測定値が基準を満たしていない）ＦＢＴＳ４０−ｊに対して異なるＳＣやＣＣ等を割り当てて当該セル設定情報の書き換えを行なう（処理１００１）。
【０１２０】
そして、セル配置情報決定部３３２は、書き換え後の各ＦＢＴＳ４０−ｊのエントリの中で隣接装置４０−ｊとのセル番号が同一のものが存在するか否かをチェックし（処理１００２）、存在しなければ当該ロジックを終了し（処理１００２のＹＥＳルート）、存在すれば、存在しなくなるまで（処理１００２でＹＥＳと判定されるまで）、該当エントリのセル番号を当初のセル番号以外の異なるセル番号に変更する処理を繰り返す（処理１００２のＮＯルートから処理１００３）。
【０１２１】
なお、ＦＢＴＳセル設定情報メモリ３４２のセル設定情報に、隣接装置情報が含まれていない場合、セル配置情報決定部３３２は、前記判定処理１００２をスキップしてよい。
【０１２２】
前記のセル設定修正後、セル配置情報決定部３３２は、セル設定部３３４に対して、品質測定結果がＮＧであった（もしくは測定値の値が基準を満たしていない）ＦＢＴＳ４０−ｊに対して選択的にセル設定を行なうように指示する（図１６の処理９４１及び処理９４２）。
【０１２３】
この指示を受けたセル設定部３３４は、データ保管部３４のメモリ３４２において、品質測定結果がＮＧ（もしくは測定値の値が基準に満たしていない）であったＦＢＴＳ４０−ｊのセル設定情報（エントリ）を読み出し（図１６の処理９４３〜処理９４６）、該当ＦＢＴＳ４０−ｊ宛のセル設定要求の発行指示をＮＢＡＰ信号送受信部３３１に送信する（図１６の処理９４７及び処理９４８）。
【０１２４】
前記セル設定要求の発行指示を受信したＮＢＡＰ信号送受信部３３１は、対象のＦＢＴＳ４０−ｊ宛のセル設定情報を含むＮＢＡＰ信号を生成して、ノード間ＩＦ３５を介してＦＢＴＳ４０−ｊに対して送信する（図１６の処理９４９及び処理９５０）。
【０１２５】
つまり、本例のセル配置情報決定部３３２、品質情報収集部３３３及びセル設定部３３４は、ＦＢＴＳ４０−ｊ間のＳＮＲ等の信号品質情報に応じて配下のＦＢＴＳ４０−ｊに対するセル設定（無線リソース割当）を修正する割当修正部としての機能を果たす。
【０１２６】
この場合の、ＦＢＴＳに対するセル設定要求には、例えば、３ＧＰＰ規格に基づくＮＢＡＰ信号である「CELL RECONFIGURATION REQUEST」等を用いることができる。そのフォーマット例を図１４に示す。本例においても、ヘッダ部にはＦＢＴＳ制御装置３０−ｉとＦＢＴＳ４０−ｊとの間の接続ＩＦ（プロトコル）に応じたヘッダが付与される。一例として図１４にはＩＰ／ＳＣＴＰヘッダが付与される様子を示している。
【０１２７】
前記セル設定要求（ＮＢＡＰ信号）は、ＦＢＴＳ４０−ｊのノード間ＩＦ４１を介してＮＢＡＰ処理部４３のＮＢＡＰ信号送受信部４３１にて受信され、ＮＢＡＰ信号送受信部４３１は、当該ＮＢＡＰ信号がＦＢＴＳ４０−ｊに対するセル設定要求であるかどうかを判別する（図１６の処理９５１）。
【０１２８】
その結果、ＮＢＡＰ信号であれば、ＮＢＡＰ信号送受信部４３１は、当該ＮＢＡＰ信号をセル設定部４３４に送信し（図１６の処理９５２）、そうでなければ、ＮＢＡＰ信号処理部４３２に送信する。
【０１２９】
前記セル設定要求であるＮＢＡＰ信号を受信したセル設定部４３４は、受信したＮＢＡＰ信号をデコードし（図１６の処理９５３）、データ部に設定されていたセル設定情報を基に、無線処理部４４に対してセル設定を行なう（図１６の処理９５４及び処理９５５）。
【０１３０】
また、その設定結果（ＯＫ／ＮＧ）を無線処理部４４から受信すると（図１６の処理９５６）、セル設定部４３４は、当該設定結果をＮＢＡＰ信号送受信部４３１に送信する（図１６の処理９５７及び処理９５８）。
【０１３１】
ＮＢＡＰ信号送受信部４３１は、受信した設定結果を含むＮＢＡＰ信号を生成して、ノード間ＩＦ４１を介して、ＦＢＴＳ制御装置３０−ｉへ送信する（図１６の処理９５９及び処理９６０）。この場合のＮＢＡＰ信号（設定結果の通知）には、例えば、３ＧＰＰ規格に基づくＮＢＡＰ信号における「CELL RECONFIGURATION REQUEST」に対する応答である「CELL RECONFIGURATION RESPONSE (OKの場合)」、「CELL RECONFIGURATION RESPONSE FAILURE(NGの場合)」等を用いることができる。
【０１３２】
前記ＮＢＡＰ信号（設定結果）は、ＦＢＴＳ制御装置３０−ｉのノード間ＩＦ３５を介してＮＢＡＰ処理部３３のＮＢＡＰ信号送受信部３３１にて受信され、ＮＢＡＰ信号送受信部３３１は、受信したＮＢＡＰ信号が設定結果（ＯＫ／ＮＧ）であるかを判別する（図１６の処理９６１）。その結果、設定結果（ＯＫ／ＮＧ）であれば、ＮＢＡＰ信号送受信部３３１は、セル設定部３３４に送信する（図１６の処理９６２）。
【０１３３】
以上の処理９４７〜処理９６２で示されるセル設定情報の再設定は、品質測定結果がＮＧ（もしくは測定値の値が基準に満たしていない）であったＦＢＴＳ４０−ｊのすべてについて実施され、完了した時点で、セル設定部３３４が、前記設定結果を集計して、セル配置情報決定部３３２に送信する（図１６の処理９６３及び処理９６４）。
【０１３４】
セル配置情報決定部３３２が、前記集計された設定結果を受信すると（図１６の処理９６５）、以降、図１５に示した処理９０１〜処理９２３（品質測定処理）が再度実施される（図１６の処理９６６）。
【０１３５】
その結果、品質測定結果がＮＧである（もしくは測定値が所定の基準を満たしていない）ＦＢＴＳ４０−ｊが存在しなければ、品質測定処理は終了する。もし、依然として、ＮＧである（もしくは測定値が所定の基準を満たしていない）ＦＢＴＳ４０−ｊが１台以上存在する場合には、再度、前記の処理９２４〜処理９３０、処理９４１〜処理９６６が実施される（図１６の処理９６８）。
【０１３６】
その後、ＦＢＴＳ制御装置３０−ｉのセル配置情報決定部３３２は、品質測定結果がＮＧ（もしくは測定値が所定の基準を満たしていない）ＦＢＴＳ４０−ｊの数を確認する（図１６の処理９６７）。そして、所定回数、再実施を行なっても、ＮＧである（もしくは測定値が所定の基準を満たしていない）ＦＢＴＳ４０−ｊが無くならない場合には、ＦＢＴＳ制御装置３０−ｉ（セル配置情報決定部３３２）は、例えば、当該ＦＢＴＳ４０−ｊに対して、運用停止を送信するか、ネットワークオペレータにアラーム通知を出す等の処置を行なう。
【０１３７】
以上のように、本例のフェムトセルシステムによれば、ＲＮＣ２０を増設や改修など、既存システムに改修を加えることなく、低コストで、ＦＢＴＳ４０−ｊを多数設置することが可能となる。また、簡易的な方法で、複数のＦＢＴＳ４０−ｊのセル設定も可能となる。したがって、屋内での無線カバー率を低コストで向上することが可能となる。
【０１３８】
また、ＦＢＴＳ制御装置３０−ｉが自律的に配下のＦＢＴＳ４０−ｊに対するセル設定を一括して行なうことが可能であるから、保守者等がＦＢＴＳ４０−ｊに対するセル設定を個別に実施する必要もない。したがって、保守、運用コストをより低減することが可能である。
【０１３９】
さらに、ＦＢＴＳ制御装置３０−ｉは、配下のＦＢＴＳ４０−ｊに対するセル設定（セル配置）を、ＦＢＴＳ４０−ｊのセル間で電波干渉が発生しないように自律的に決定、実施し、また、そのセル設定の修正も自律的に実施することが可能であるから、従来のように保守者がセル間の電波干渉を個別に測定して既存ＢＴＳに対してセル設定を行なうような手間も省ける。
【０１４０】
フェムトセルシステムにおいて、ＦＢＴＳ４０−ｊは、既存ＢＴＳに比べて規模が小さく設置場所の数や自由度が非常に大きいと想定されるので、このような自律的なセル設定の決定、実施は、極めて有用であると考えられる。
【０１４１】
〔４〕付記
（付記１）
複数無線エリア分の無線リソースの割り当てを受ける制御装置と、
前記制御装置と通信可能に接続された複数の無線基地局とをそなえ、
前記制御装置は、
前記割り当てられた前記無線リソースの一部をいずれかの前記無線基地局が形成する無線エリアに割り当てる、
ことを特徴とする、無線通信システム。
【０１４２】
（付記２）
前記各無線基地局が形成する無線エリア数は、前記複数無線エリアの数よりも大きく、
前記制御装置による前記割り当ては、前記複数無線エリア分の無線リソースを繰り返し用いて実施される、ことを特徴とする、付記１記載の無線通信システム。
【０１４３】
（付記３）
前記制御装置による前記割り当ては、前記繰り返し用いる無線リソースが前記各無線基地局の形成する隣接無線エリア間で重複しないように実施される、ことを特徴とする、付記２記載の無線通信システム。
【０１４４】
（付記４）
前記制御装置による前記割り当ては、前記無線基地局間の信号品質情報に応じて修正される、ことを特徴とする、付記１〜３のいずれか１項に記載の無線通信システム。
【０１４５】
（付記５）
前記信号品質情報は、前記制御装置が、前記無線基地局に対して前記信号品質情報の測定を要求することにより、その測定結果として当該無線基地局から受信される、ことを特徴とする、付記４記載の無線通信システム。
【０１４６】
（付記６）
前記信号品質情報の測定要求を受信した前記無線基地局は、
他の無線基地局から受信される信号の受信品質を測定し、その測定結果を前記制御装置へ送信する、ことを特徴とする、付記５記載の無線通信システム。
【０１４７】
（付記７）
前記測定は、自局の信号受信感度を上げた状態、あるいは、他の無線基地局が送信電力を上げた状態で実施される、ことを特徴とする、付記６記載の無線通信システム。
【０１４８】
（付記８）
前記制御装置は、上位装置又は上位機能から前記複数無線エリア分の無線リソースの割り当てを受ける、ことを特徴とする、付記１〜７のいずれか１項に記載の無線通信システム。
【０１４９】
（付記９）
前記無線リソースには、スクランブリングコード、チャネライゼーションコード、周波数のいずれか１又は２以上の組み合わせが含まれる、ことを特徴とする、付記１〜８のいずれか１項に記載の無線通信システム。
【０１５０】
（付記１０）
前記無線基地局は、前記無線エリアとしてのフェムトセルを形成するフェムトセル基地局である、ことを特徴とする、付記１〜９のいずれか１項に記載の無線通信システム。
【０１５１】
（付記１１）
複数の無線基地局と、前記各無線基地局と通信可能に接続された制御装置と、をそなえた無線通信システムにおける無線リソースの割当方法であって、
前記制御装置に複数無線エリア分の無線リソースを割り当て、
前記制御装置は、前記割り当てられた無線リソースの一部をいずれかの前記無線基地局が形成する無線エリアに割り当てる、
ことを特徴とする、無線通信システムにおける無線リソース割当方法。
【０１５２】
（付記１２）
複数の無線基地局と通信可能に接続された制御装置であって、
複数無線エリア分の無線リソースの割当情報を受信する受信手段と、
前記割当情報に基づいていずれかの前記無線基地局が形成する無線エリアに前記無線リソースの一部を割り当てる割当制御手段と、
をそなえたことを特徴とする、制御装置。
【０１５３】
（付記１３）
前記各無線基地局が形成する無線エリア数は、前記複数無線エリアの数よりも大きく、
前記割当制御手段は、
前記割り当てを、前記複数無線エリア分の無線リソースを繰り返し用いて実施する、ことを特徴とする、付記１２記載の制御装置。
【０１５４】
（付記１４）
前記割当制御手段は、
前記割り当てを、前記繰り返し用いる無線リソースが前記各無線基地局の形成する隣接無線エリア間で重複しないように実施する、ことを特徴とする、付記１２又は１３に記載の制御装置。
【０１５５】
（付記１５）
前記割当制御手段は、
前記無線基地局間の信号品質情報に応じて前記割り当てを修正する割当修正部をそなえた、ことを特徴とする、付記１２〜１４のいずれか１項に記載の制御装置。
【０１５６】
（付記１６）
前記割当制御手段は、
前記無線基地局に対して前記信号品質情報の測定を要求する品質測定要求部と、
前記要求に対する測定結果を当該無線基地局から受信して前記割当修正部に与える品質情報受信部と、
をそなえた、ことを特徴とする、付記１５記載の制御装置。
【０１５７】
（付記１７）
前記無線リソースには、スクランブリングコード、チャネライゼーションコード、周波数のいずれか１又は２以上の組み合わせが含まれる、ことを特徴とする、付記１２〜１６のいずれか１項に記載の制御装置。
【図面の簡単な説明】
【０１５８】
【図１】一実施形態に係る無線通信システムであるフェムトセルシステムの構成例を示す図である。
【図２】図１に示すシステムの詳細構成例を示すブロック図である。
【図３】図１及び図２に示すＲＮＣからＦＢＴＳへ送信するセル設定要求（ＮＢＡＰ信号）のフォーマット例を示す図である。
【図４】図２に示すＦＢＴＳ制御装置のデータ保管部におけるＦＢＴＳ制御装置セル設定情報のフォーマット例を示す図である。
【図５】図２に示すＦＢＴＳ制御装置のデータ保管部におけるＦＢＴＳセル設定情報のフォーマット例を示す図である。
【図６】図２に示すＦＢＴＳ制御装置におけるセル配置ロジックの一例を示すフローチャートである。
【図７】図５に示すフォーマット例にＦＢＴＳのセル設定情報が書き込まれた状態の一例を示す図である。
【図８】図２に示すＦＢＴＳ制御装置からＦＢＴＳへ送信するセル設定情報（ＮＢＡＰ信号）のフォーマット例を示す図である。
【図９】図１及び図２に示すフェムトセルシステムの動作（セル設定処理）を説明するシーケンス図である。
【図１０】図１及び図２に示すＦＢＴＳ制御装置からＦＢＴＳへ送信する品質測定要求（ＮＢＡＰ信号）のフォーマット例を示す図である。
【図１１】図５に示すフォーマット例に品質測定結果が書き込まれた状態の一例を示す図である。
【図１２】図５に示すフォーマット例に品質測定結果が書き込まれた状態の一例を示す図である。
【図１３】図１及び図２に示すＦＢＴＳ制御装置におけるセル設定修正処理を説明するフローチャートである。
【図１４】図１及び図２に示すＦＢＴＳ制御装置からＦＢＴＳへ送信するセル設定情報（ＮＢＡＰ信号）のフォーマット例を示す図である。
【図１５】図１及び図２に示すフェムトセルシステムの動作（セル設定修正処理）を説明するシーケンス図である。
【図１６】図１及び図２に示すフェムトセルシステムの動作（セル設定修正処理）を説明するシーケンス図である。
【符号の説明】
【０１５９】
１０  コアネットワーク
２０  ＲＮＣ
３０−１〜３０−Ｎ  フェムトセルＢＴＳ制御装置
３１  ＲＮＣ間インタフェース（ＩＦ）
３２  C-Plane/U-Planeデータ送受信部
３３  ＮＢＡＰ処理部
３３１  ＮＢＡＰ信号送受信部
３３２  セル配置情報決定部
３３３  品質情報収集部
３３４  セル設定部
３４  データ保管部
３４１  フェムトセルＢＴＳ制御装置セル設定情報メモリ
３４２  フェムトセルＢＴＳ装置セル設定情報メモリ
３５  ノード間インタフェース（ＩＦ）
４０−１〜４０−ｎ  フェムトセルＢＴＳ（フェムトセル基地局）
４１  ノード間ＩＦ
４２  C-Plane/U-Planeデータ送受信部
４３  ＮＢＡＰ処理部
４３１  ＮＢＡＰ信号送受信部
４３２  ＮＢＡＰ信号処理部
４３３  品質測定部
４３４  セル設定部
４４  無線処理部
５０  移動端末（ユーザ端末）
【図１】
2009231862.tif 000003
【図２】
2009231862.tif 000004
【図３】
2009231862.tif 000005
【図４】
2009231862.tif 000006
【図５】
2009231862.tif 000007
【図６】
2009231862.tif 000008
【図７】
2009231862.tif 000009
【図８】
2009231862.tif 000010
【図９】
2009231862.tif 000011
【図１０】
2009231862.tif 000012
【図１１】
2009231862.tif 000013
【図１２】
2009231862.tif 000014
【図１３】
2009231862.tif 000015
【図１４】
2009231862.tif 000016
【図１５】
2009231862.tif 000017
【図１６】
2009231862.tif 000018